(57)【特許請求の範囲】
【請求項１】
スクリーン用のゴミ洗浄装置であって、
前記装置の流体注入口と流体連通するマニホールドであって、少なくとも２つの流積を画定し、前記流積のうち第１流積を介して前記装置の前記注入口を前記流積のうち第２流積に連通し、前記第１流積が前記第２流積よりも大きいものである前記マニホールドと、
互いに平行に配置され、且つ、前記マニホールドと流体連通する複数の管であって、前記管それぞれが前記スクリーンに近接する第１側面と、前記第１側面の反対側に位置する第２側面とを有し、前記管それぞれが前記第１側面に、流体を放出するための複数のオリフィスを具え、前記複数の管は近位端部及び遠位端部を備え、前記複数の管のうち１以上の第１管の前記近位端部は、前記マニホールドの前記第１流積と流体連通しており、前記複数の管のうち１以上の第２管の前記近位端部は、前記マニホールドの前記第２流積と流体連通しており、前記１以上の第１管が前記１以上の第２管よりも大きな流積を持つものと、
互いに平行に配置され、且つ、格子状に互いに固定された複数のディレクタであって、前記ディレクタそれぞれは、そのディレクタに前記複数の管の１つが固定され、且つ、その管が配置されるチャンネルを有し、前記ディレクタのそれぞれは、前記近接するスクリーンに向けて前記管の前記複数のオリフィスから放出された流体を方向付けるものと
を具備することを特徴とするゴミ洗浄装置。
【請求項２】
前記マニホールドは前記スクリーンに面する側面に複数のオリフィスを備えることを特徴とする請求項１に記載の装置。
【請求項３】
前記管のそれぞれは、前記近位端部における第１流積と前記遠位端部における第２流積を画定し、前記第１流積が前記第２流積よりも大きいことを特徴とする請求項１又は２に記載の装置。
【請求項４】
前記チャンネルのそれぞれは、そのチャンネルに配置された前記管の直径の２倍よりも少なくとも小さいか又は等しい深さを画定することを特徴とする請求項１乃至３のいずれかに記載の装置。
【請求項５】
前記格子状の前記複数のディレクタの互いを相互接続する複数の留め具を備えることを特徴とする請求項１乃至４のいずれかに記載の装置。
【請求項６】
前記複数の留め具は、前記ディレクタの正面エッジに固定される第１の固定器からなることを特徴とする請求項５に記載の装置。
【請求項７】
前記複数の留め具は、前記ディレクタの背後に固定される第２の固定器からなることを特徴とする請求項５に記載の装置。  
【請求項８】
据え付け用の複数のブラケットを前記ディレクタの背後に固定してなることを特徴とする請求項１乃至７のいずれかに記載の装置。
【請求項９】
前記ディレクタのそれぞれは、前記チャンネルを画定する複数の壁を具備しており、前記複数の壁は、背壁と２つの対向する側壁からなり、前記背壁は前記管の前記第２側面に近接して配置され、前記２つの対向する側壁は前記背壁に向って内向きに曲がったものであることを特徴とする請求項１乃至４のいずれかに記載の装置。
【請求項１０】
前記ディレクタの前記背壁に前記複数の管を固定する複数の留め具を備えることを特徴とする請求項９に記載の装置。
【請求項１１】
前記注入口と流体連通しており、圧縮空気を保持するタンクを更に備えることを特徴とする請求項１乃至１０のいずれかに記載の装置。
【請求項１２】
前記タンクと流体連通しており、前記タンクに前記圧縮空気を充填するコンプレッサを更に備えることを特徴とする請求項１１に記載の装置。
【請求項１３】
前記タンク及び前記管と流体連通しており、該タンクから前記注入口への圧縮空気のリリースを制御する１以上のバルブを更に具えることを特徴とする請求項１１又は１２に記載の装置。
【請求項１４】
スクリーン用のゴミ洗浄装置であり、
第２流積と流体連通する第１流積を有するマニホールドであって、前記第１流積が、前記第２流積より大きく、且つ、前記装置の注入口と流体連通するものと、
互いに平行に配置され、且つ、前記マニホールドと流体連通する複数の管であって、前記管のそれぞれは前記スクリーンに近接する第１側面と前記第１側面に対向する第２側面とを有し、前記管のそれぞれは、前記第１側面に複数のオリフィスを有し、前記複数の管のうち少なくとも１つの第１管が前記マニホールドの前記第１流積と流体連通し、前記複数の管のうち少なくとも１つの第２管が前記マニホールドの前記第２流積と流体連通し、前記少なくとも１つの第１管は、前記少なくとも１つの第２管に比べて、より大きな流積を規定するものと、
互いに平行に配置され、且つ、格子内において互いに固定された複数のディレクタであって、前記ディレクタのそれぞれは、前記複数の管のうち１つが固定されており、且つ、その管が配置されるチャンネルを有し、前記ディレクタのそれぞれは、前記近接するスクリーンに向けて前記配置された管の前記複数のオリフィスからの空気バーストを方向付けるものであると
を具えることを特徴とする装置。
【請求項１５】
前記少なくとも１つの第１管の前記大きい流積は、第３流積及び第４流積からなり、前記第３流積は、前記マニホールドと前記第４流積との間を流体連通しており、且つ、該第４流積よりも大きいものであることを特徴とする請求項１４に記載の装置。
【請求項１６】
前記少なくとも１つの第２管の前記小さい流積は、第５流積及び第６流積からなり、前記第５流積は、前記マニホールドと前記第６流積との間を流体連通しており、且つ、該第６流積よりも大きいものであることを特徴とする請求項１４又は１５に記載の装置。
【請求項１７】
スクリーン取水システムであって、
開口端を有し、且つ、室を画定するボディと、
前記ボディの前記開口端に配置されるスクリーンと、
前記システムの流体注入口と流体連通するマニホールドであって、少なくとも２つの流積を画定し、前記流積のうち第１流積を介して前記装置の前記注入口を前記流積のうち第２流積に連通し、前記第１流積が前記第２流積よりも大きいものである前記マニホールドと、
互いに平行に配置され、且つ、前記システムの注入口と流体連通する複数の管であり、前記管のそれぞれは、前記スクリーンに近接する第１側面と、前記第１側面に対向する第２側面とを有し、前記管のそれぞれは、前記第１側面に複数のオリフィスを備え、前記複数の管は近位端部及び遠位端部を備え、前記複数の管のうち１以上の第１管の前記近位端部は、前記マニホールドの前記第１流積と流体連通しており、前記複数の管のうち１以上の第２管の前記近位端部は、前記マニホールドの前記第２流積と流体連通しており、前記１以上の第１管が前記１以上の第２管よりも大きな流積を持つものと、
前記室内において互いに平行に配置され、且つ、格子状に互いに固定された複数のディレクタであって、前記ディレクタのそれぞれは、前記複数の管のうち１つが固定されており、且つ、その管が配置されるチャンネルを有し、前記ディレクタのそれぞれは、前記近接するスクリーンに向けて前記配置された管の前記複数のオリフィスからの空気バーストを方向付けるものであると
を備えることを特徴とするスクリーン取水システム。
【請求項１８】
前記マニホールドは前記スクリーンに面する側面に複数のオリフィスを備えることを特徴とする請求項１７に記載のスクリーン取水システム。
【請求項１９】
前記管のそれぞれは、前記近位端部における第１流積と前記遠位端部における第２流積を画定し、前記第１流積が前記第２流積よりも大きいことを特徴とする請求項１７又は１８に記載のスクリーン取水システム。
【請求項２０】
前記チャンネルのそれぞれは、そのチャンネルに配置された前記管の直径の２倍よりも少なくとも小さいか又は等しい深さを画定することを特徴とする請求項１７乃至１９のいずれかに記載のスクリーン取水システム。
【請求項２１】
前記注入口と流体連通しており、圧縮空気を保持するタンクを更に備えることを特徴とする請求項１７乃至２０のいずれかに記載のスクリーン取水システム。
【発明の詳細な説明】
【技術分野】
【０００１】
この発明は、平板スクリーンを洗浄するための方向付けられたハイドロバーストシステムに関する。
【背景技術】
【０００２】
取水システムは、種々のタイプのスクリーンとバリアを使うものであり、そして、いくつかのシステムがスクリーンからゴミ（デブリ）を取り除くために開発されている。例えば、可動ブラシを用いる機械システムが、スクリーンからゴミを取り除くために使用されていた。加えて、取り外し可能なスクリーンの形態が、洗浄の問題を克服するために、多くの場所で使用されている。
【０００３】
別の実施形態において、スクリーン洗浄システムは、スクリーンからゴミを取り除くために、多岐管（マニホールド）から向けられた空気バーストを使用できる。例えば、ジョンソン・スクリーンズ社のハイドロバーストシステムは、円筒形の取水スクリーンのために使用されるシステムの１つである。図１Ａ〜１Ｃは、従来技術に従うハイドロバーストシステム２０を有する取水システム１０を示す。ハイドロバーストシステム２０は、取水スクリーン３０がゴミに晒されたとき定期洗浄を必要とする場合、又は、スクリーン３０がアクセスしにくいときの実施に使用される。ハイドロバーストシステム２０は、動作時には、高速なバーストでもってスクリーン３０内側に大量の圧縮空気を放つことにより、スクリーン表面からゴミを洗い流す。
【０００４】
図１Ａ〜１Ｂに示すように、ハイドロバーストシステム２０は、圧縮空気を貯めるレシーバタンク２２を有し、そして、そのタンク２２に圧縮空気を充填するコンプレッサ２４を有する。分配管２８、バルブ２５などは、タンク２２をスクリーン３０内のヘッダに結合する。図１Ｃに示された円筒形スクリーンインテーク（取水装置）３０は、中央ボディ３４の対向する端部に２つのスクリーン３６を持つＴ字の形状を有する。放水口（water outlet）３２は、中央ボディ３４から通じており、取水システム１０の他の構成要素と接続するようになっている。スクリーン３０内に配備された空気逆洗浄用のヘッダ４０は注入管４２に接続し、該注入管４２がハイドロバーストシステム２０から空気を受け取る。ハイドロバーストシステム２０から連通された空気バーストがヘッダ４０に到達するとき、その結果として起こる空気／水のバーストは、円筒形スクリーン３６からゴミを除去できる。
【０００５】
空気バーストを用いたスクリーンの洗浄は、スクリーンが平板状の場合にはもっと難しくなるだろう。かかる平板スクリーンは、取水システム、並びに、ダム及び河川における水力発電タービン及びポンプから魚を守るための魚道システムを含む、多数の実用例に使用される。これら実用例のための平板スクリーンは、概して、魚類やその他の水棲生物を守るために、吸い込み速度が低くなっている。それにもかかわらず、依然として、ゴミがスクリーン上に集積されてしまう。
【０００６】
モンゴメリー・ワトソン・エンジニアリング（Montgomery Watson Engineering）による平板スクリーンからゴミを取り除くための解決策の１つが、図２Ａ−２Ｂに示されている。取水モジュール５０は、モジュール５０の一部が水路床の上に突き刺さるように、該水路床に埋め込まれる。モジュール５０は、その上流側の端部に先端シールド５４を有する。供給管５６はモジュール５０から取水システムへ延び、そして、洗浄空気管６０及び浮力空気管６５はモジュール５０から空気供給システムの複数の構成要素へ延びる。
【０００７】
モジュール５０は、その内部に、魚用平板スクリーン５２、流量制御スラット６４、空気バースト洗浄管６２、浮揚タンク６７及び供給管継ぎ手５５を具備する。平板スクリーン５２、スラット６４及び空気バースト洗浄管６２は、モジュール５０の上部に置かれており、浮揚タンク６７は下部に置かれる。図２Ａの洗浄空気管６０は図２Ｂに示す空気バースト管６２に接続される。図２Ａの浮力空気管６５は図２Ｂに示す浮揚タンク６７に接続される。
【０００８】
使用中、水は平板スクリーン５２を通って下方へ流れ、スラット６４を過ぎてモジュールの収集室に流入する。そして、モジュールの収集室の前記水は供給管５６に移動できる。複数の空気バースト洗浄管６２は、水平に配置されたＰＶＣパイプであり、平板スクリーン５２及びスラット６４の間に設置される。これら管６２は、複数の小さい穴を有しており、空気のバーストが供給されたときに、平板スクリーン５２を洗浄するための空気バーストを散布する。図２Ｂに示すように、スラット６４及管６２は水平型モジュール５０に対して使用されているが、垂直型モジュール（図示外）のためにも使用される。
【０００９】
平板スクリーンからゴミを除去するための、ジョンソン・スクリーンズ社による別の解決策が図３Ａ−３Ｃに示されている。ここでは、水平型マニホールド（多岐管）７０が平板スクリーン５２を洗浄するために使用される。マニホールド７０は、トラフ７４により囲まれた分配管７２を有する。マニホールドフレーム７６は、スクリーン５２の下流側にて、適宜の固定手段によりスクリーン５２又はアンカーに連結される。いずれの場合とも、マニホールドフレーム７６が深いトラフ７４を支持し、逆洗浄システム２０からスクリーン５２への空気流を促進できる。図３Ｃに最も良く示されているように、トラフ７４は、背面パネル７５を有する。背面パネル７５は図示の通りソリッド（切れ目無いもの）であってよい。別の例として、背面パネル７５は、水が深いトラフ７４を通過して流れ出るように、有孔でもよいし、又は、存在してないくてもよい。
【００１０】
導管（conduit;コンジット）７３は、空気流を供給するために、逆洗浄システム２０から、それぞれトラフ７４に囲まれた分配管７２を連結する。各分配管７２は、複数のオリフィス（図示外）を有しており、スクリーン５２に向けて外側へ空気のバーストを方向付けるようになっている。逆洗浄システム２０が空気バーストを生成すると、例えば、空気は管７２及びトラフ７４から対向するスクリーン５２に向けられて、ゴミを洗浄するようになっている。スクリーン５２を通りトラフ７４の間を流れる水の流は、矢印で示されている。
【００１１】
図３Ａ−３Ｃのマニホールド７０及び他の従来技術のシステムは有効であろうが、かかるトラフタイプのマニホールドを作成することは、いくつかの実装例では、複雑であり、且つ、コスト高でありうる。従って、空気バーストシステムを用いて平板型スクリーンを効果的に洗浄できるようにすることは、オペレータにとって有益である。本発明の課題は、上述した１又はそれ以上の問題を解決し、若しくは少なくともその影響を軽減することにある。
【発明の概要】
【００１２】
スクリーン取水（intake;インテーク）システムは、開口端と室とを持つボディを具える。平板スクリーンは、前記ボディの前記開口端に配置される。空気バーストシステムは、前記室内に配置された複数の管を具え、前記平板スクリーンからゴミを取り除くようになっている。前記複数の管は、前記平板スクリーンに近接して互いに平行に配置され、且つ、各管は前記平板スクリーンに面する側に、複数のオリフィス（穴）を具える。複数のディレィタは、複数の管の後ろ側に沿って配置される。前記ディレクタのそれぞれはチャンネルを有し、そのチャンネルに前記管が配置される。圧縮された空気がタンクからバルブにより放出され、そして、空気バーストが、前記管の前記複数のオリフィスから散布される。前記ディレクタのそれぞれは、当該散布の結果として得られる前記オリフィスからの水／空気バーストを、前記近接する平板スクリーンに向けて、該平板スクリーンからゴミを取り除く。
【００１３】
上述の概要は、可能性のある各実施例又は本発明のすべての態様をまとめることを意図するものではない。
【図面の簡単な説明】
【００１４】
【図１Ａ】従来技術による取水システムを示す図。
【００１５】
【図１Ｂ】従来技術による取水システムの構成要素をより詳細に示す図。
【００１６】
【図１Ｃ】従来技術によるマニホールドを具える円筒型スクリーン取水装置を示す図。
【００１７】
【図２Ａ】従来技術による平板スクリーンを洗浄するための装置を示す図。
【図２Ｂ】従来技術による平板スクリーンを洗浄するための装置を示す図。
【００１８】
【図３Ａ】従来技術による平板スクリーンを洗浄するための別の装置を示す正面図。
【００１９】
【図３Ｂ】図３Ａの装置従来技術による平板スクリーンを洗浄するための別の装置を平板スクリーンに関連付けた側面図。
【図３Ｃ】同別の装置を平板スクリーンに関連付けた斜視図。
【００２０】
【図４Ａ】エンクロージャ内の平板スクリーンを概略的に示す平面図。
【００２１】
【図４Ｂ】本発明に従う空気バーストシステムを備える平板スクリーンを垂直に置いた実施形態の図。
【００２２】
【図４Ｃ】本発明に従う空気バーストシステムを備える平板スクリーンを水平に置いた実施形態の図。
【００２３】
【図５Ａ】本発明に従う空気バーストシステムの正面図。
【図５Ｂ】同空気バーストシステムの背面図。
【００２４】
【図６Ａ】本発明に従う空気バーストシステムの正面図。
【図６Ｂ】同空気バーストシステムの端面図。
【図６Ｃ】同空気バーストシステムの端面図。
【図６Ｄ】同空気バーストシステムの上面図。
【００２５】
【図７】本発明に従う空気バーストシステムのためのマニホールド及び管を分離して示す正面図。
【００２６】
【図８Ａ】長手方向のディレクタの端面図。
【図８Ｂ】長手方向のディレクタの上面図。
【００２７】
【図８Ｃ】異なる形状の長手方向のディレクタを管に関連付けた端面図。
【図８Ｄ】異なる形状の長手方向のディレクタを管に関連付けた端面図。
【００２８】
【図９Ａ】本発明に従う空気バーストシステムの分配管及びディレクタからのる空気バーストの進行を示すブロック図。
【図９Ｂ】本発明に従う空気バーストシステムの分配管及びディレクタからの空気バーストの進行を示すブロック図。
【図９Ｃ】本発明に従う空気バーストシステムの分配管及びディレクタからの空気バーストの進行を示すブロック図。
【発明を実施するための形態】
【００２９】
前述した通り、取水（intake;インテーク）装置、迂回路（diversion；ダイバージョン、誘水路）パネル、及び、その他の実施形態は、平板スクリーンを具備し得る。図４Ａは、エンクロージャ８５内の平板スクリーン８０を概略的に示す平面図である。平板スクリーン８０は複数の平行のワイヤにより構成され、これらワイヤは、それらワイヤに対して垂直に配置されたロッドに取り付けられる。これらワイヤは、プロファイルワイヤ（profiled wire;輪郭付けられたワイヤ）であるか、或いは、スクリーン、フィルタ、迂回路パネルなどの用途に適したその他のタイプのワイヤであってよい。エンクロージャ８５は、例示を目的として、図において模式的にのみ描かれており、図示の通り、１以上の放水口（outlet）８７を有してよい。エンクロージャ８５は、実装例に応じて、モジュール、コンポーネント、パイプ、導管（conduit）、放水口（outlet）、取水口（inlet）など、取水装置、取水フィルタ、迂回路又はその他のタイプのシステムの用途に適したどのようなであってもよい。
【００３０】
図４Ｂに示すように、平板スクリーン８０は、エンクロージャ８５の開口端に、垂直向きに配置される。別の例として、平板スクリーン８０は図４Ｃに示すように水平向きに配置できるが、どのような配置が使用されてもよい。いずれの方法でも、平板スクリーン８０は、スクリーン８０を通ってエンクロージャ８５内に入る水によって運搬されるゴミを、収集するだろう。
【００３１】
本発明の空気バースト分配システム１００は前記スクリーン８０と平行に配置されており、ゴミを定期的に取り除くようになっている。このシステム１００は、例えば図１を参照して前述したような、ハイドロバーストシステムの構成要素に連結される。前述した通り、かかるハイドロバーストシステムは、タンク、制御パネル、高速起動空気バルブ、連結配管、及び、圧縮空気の高速空気バーストを供給するための空気コンプレッサを備える。或る定期にて手動又は自動でハイドロバーストシステムが作動されたとき、ハイドロバーストシステムによる空気バーストは、空気バースト分配システム１００に入る。その空気バースト分配システム１００は平板スクリーン８０に関連付けられたエンクロージャ８５内に空気を散布して、収集されたどのようなゴミでも取り除くようになっている。
【００３２】
空気バースト分配システム１００の利点の１つは、そのモジュール式（組立ユニット式）であることの特質と、個々の実装例に適応する能力とである。システム１００は、エンクロージャ８５及び平板スクリーン８０の構成要素とは別個に組み立てることができる。そして、予め組み立てられたシステム１００は、当該設備のゴミ除去の要求に対処するように、エンクロージャ８５内に、平板スクリーン８０に近接して簡便に組み付けられる。
【００３３】
空気バースト分配システム１００は、図４Ａ−４Ｂにおいて、平板スクリーン８０及びエンクロージャ８５に対する相対的なサイズで描かれている。図に描いたサイズは例示を目的としている。一般に、空気バースト分配システム１００と、平板スクリーン８０と、エンクロージャ８５との間の相対的なサイズは、設備と、例えば流量、ゴミ洗浄の要求、空気バースト内に生じうる圧縮空気の量、及び、その他の実践的要素などの詳細事項と、に応じる。更に、１以上の空気バースト分配システム１００が平板スクリーン８０に近接して配置されてもよく、そして、平板スクリーン８０の全体又は１部だけが、それに隣接した１つの空気バースト分配システム１００を有していてもよい。
【００３４】
次に、図５Ａ−５Ｂ、図６Ａ−６Ｄ、及び、図７に示された個別の詳細について、説明する。空気バースト分配システム１００は、マニホールド（多岐管）１１０、複数の分配管１２０、複数のディレクタ（director: 方向付け手段）１３０、複数の固定器１４０／１４２、及び、複数のブラケット１５０を具備する。マニホールド１１０は注入口（inlet;インレット）１１４を有し、この注入口１１４が圧縮空気の供給を提供するハイドロシステムの構成要素に接続される。マニホールド１１０は、その長さに沿って、周囲に空気を散布するための複数のオリフィス（穴）１１２を具備する。複数のオリフィス１１２は、均等に空気を散布するように、マニホールド１１０に配列される。
【００３５】
複数の分配管１２０は、マニホールド１１０から互いに平行に延びており、該マニホールド１１０からの空気を誘導して、その空気が分配管１２０のオリフィス１２２から散布されるようになっている。これら分配管１２０は、平板スクリーン（８０）の表面に対して平行に延びる。管１２０の数、管１２０の直径（又は流積）、オリフィス１２２の数、及び、その他の考慮事項は、個別の実装例に応じる。
【００３６】
複数のディレクタ１３０の配置は、管１２０からの空気の放出（release:
リリース）及びバースト（burst）の作用力を、平板スクリーン（８０）の表面に方向付ける（direct;ディレクトする）。これにより、空気バーストはゴミを吹き飛ばし、そして、スクリーンの表面を洗浄する。複数のディレクタ１３０は、これら分配管１２０それぞれの背後に、長手方向（longitudinally）に延び、基本的には、互いに平行な複数の管１２０を互いに分離又は独立させている。ディレクタ１３０は、複数の管１２０の全長にわたり延びるか、又は、１以上のディレクタ１３０が所与の１つの管１２０の長さに沿って延びるように端と端をつないで設置され、複数の管１２０の全長を満たすようになっていてもよい。
【００３７】
システム１００は、多数のディレクタ１３０を一緒に格子状に固定して、複数のディレクタ１３０を支持するようになっている。例えばＵボルトなどの留め具１４５は、分配管１２０の長さに沿う多数の位置にて、ディレクタ１３０を分配管１２０に固定する。また、側面（laterally）に配置された留め具である固定器１４０／１４２は、ディレクタ１３０の正面及び背面に固定され、前記格子状に、それらディレクタ１３０の互いを相互接続する。図に示す通り、これら固定器１４０／１４２は、ボルト又はその他の留め具によりディレクタ１３０に固定された薄い金属棒であってよい。
【００３８】
複数の支持ブラケット１５０がディレクタ１３０の背面に固定され、マニホールド１１０、管１２０及びディレクタ１３０を支持するようになっている。これらブラケット１５０は、互いに平行な複数のディレクタ１３０の背面を横断するように取り付けられた脚部１５２を具備する。脚部１５２の端部は、台足部１５４／１５６を有しており、当該ブラケット１５２を、例えば図４Ｂ−４Ｃに示すようなエンクロージャ、管、コンクリート壁、別のブラケットなど、どんな構成要素にでも固定できるようになっている。
【００３９】
図７の、分離した状態を示す正面図に最も良く示されているように、マニホールド１１０は、近位端部１１１（注入口１１４と２つの管１２０ａとに接続された管部分）と遠位端部１１３（別の２つの管１２０ｂに接続された管部分）との間に配置された径違い継手（レジューサ）１１６を備える。マニホールド１１０の直径（又は流積）は、径違い継手１１６にて変わる。例えば、その円筒部の広い部分１１１が直径約３インチである一方、該円筒部の小さい部分１１１は直径約２インチである。
【００４０】
管１２０ａ（下側の２つ）は、前記円筒部の広い部分１１１に接続された近位端部１２１ａを持っており、他の管１２０ｂ（上側の２つ）と比較して大きい直径（又は流積）を持っている。他の管１２０ｂ（上側の２つ）は、前記円筒部の小さい部分１１３に接続された近位端部１２１ｂを有する。例えば、管１２０ａ（下側の２つ）は、近位端部１２１ａにおいて初期の直径約２インチである一方、管１２０ｂ（上側の２つ）は近位端部１２１ｂにおいて初期の直径約１．５インチである。
【００４１】
複数の管１２０もまた、それら管１２０の全長の約４分の３の位置に、径違い継手（レジューサ）１２６を備えており、その径違い継手１２６において、その管の遠位端部に向って、当該管１２０の直径（又は流積）が縮小するようになっている。例えば、管１２０ａ（下側の２つ）は、近位端部１２１ａの直径２インチから遠位端部１２３ａの直径約１．５インチに減少する。管１２０ｂ（上側の２つ）は、近位端部１２１ｂの直径１．５インチから遠位端部１２３ｂの直径約１．２５インチに縮小する。更に、遠位端部１２３ａ‐１２３ｂは、近位端部１２１ａ‐１２１ｂよりも長さが短くなっており、流積を更に減少している。径違い継手１１６／１２６と直径の異なる管１２０ａ‐１２０ｂとは、マニホールド１１０及び管１２０の長さに沿ってオリフィス１１２／１２２を出る空気流を制御し、且つ、適切な空気バーストの圧力を維持することを意図している。
【００４２】
図５Ａ‐５Ｂに最も良く示されているように、別個の複数のディレクタ１３０’は、管１２０の遠位端部で直径が縮小されている故に、使用されるものである。これら別個の複数のディレクタ１３０’は、留め具１４５を用いて複数の管１２０の遠位端部に取り付けられている点では前記と同様であるが、小さい直径を収容するのに適するようになっている。独立した複数のディレクタ１３０’を使うよりもむしろ、ディレクタ１３０が管１２０の全長に延びており、管の遠位端部と該ディレクタ１３０との間にスペーサーを使用する構成でもよい。別の実施例として、管１２０の全長に延びるディレクタ１３０は、管の遠位端部における減少された直径を収容するための段（ステップ）又は曲がり目（ベンド）を画定できる。
【００４３】
好ましくは、複数のディレクタ１３０のエッジの間に隙間があり、ディレクタ１３０の間を水が流れるようにする。更に、長手方向の複数のディレクタ１３０それぞれは、管１２０の背面に、長手方向のチャンネル１３１を画定する。図８Ａ‐８Ｂに最も良く示されているように、前記ディレクタの長手方向のチャンネル１３１は、背壁１３２と、前記背壁１３２に向って内側に曲がり互いに対向する複数の側壁１３４とにより形成される。エッジ面１３６は、そのエッジ面に固定器（１４０）を固定するために、ディレクタ１３０の長さに沿って上側エッジ及び下側エッジ上に具備される。背壁１３２は分配管（１２０）の背後にあり、該分配管はオリフィス１２２を、ディレクタ１３０から背けるようにしている。
【００４４】
ディレクタ１３０の全体の長さは、実装例に応じる。例えば、長く区切られたディレクタ１３０は長さ約７１インチであり得る一方、短く区切られたディレクタ１３０´は長さ約３７．７５インチであり得る。一般に、ディレクタ１３０の幅は、約１１インチであり得る一方、深さは約２．８８インチであり得る。直径約１．５から約２インチの広い管１２０と比較して、ディレクタのチャンネル１３１の深さは、管の直径の２倍よりも、少なくと小さいか又は等しくできる。実際の直径は、その他の要因の中でも特に、実装例と分配管１２０のサイズとに応じるものである。また、ディレクタ１３０の形状及び角度は変更され得る。例えば、図示された角度付けた平板な表面と同様に、丸みを帯びた表面が採用されてもよい。更に、ディレクタ１３０の横断面形状は図８Ａに示すような左右対称形状である必要はない。左右対称形状に替えて、図８Ｃにおいて管１２０の断面に関連付けて示すディレクタ１３０´及び１３０’’のように、横断面形状が非対称形状であってもよい。
【００４５】
本発明に従う空気バースト分配システム１００は、当該システムに平行に配置された平板スクリーンに空気バーストを送らなければならないので、システム１００は好ましくは近接するスクリーンに効果的に空気バーストを送る。効果的な送達は、少なくとも部分的には、本発明に従うシステム１００のディレクタ１３０により達成される。特に、図９Ａ−９Ｃは、前述したシステム１００の分配管１２０及びディレクタ１３０からの空気バーストの進行を図表的に示している。
【００４６】
空気バーストが始められたとき、その空気は、図９Ａに示す通り、分配管１２０内の前方に向いているオリフィス１２２を出る。分配管１２０は、その管１２０のオリフィス１２２から、概して径方向に、空気を分配する。オリフィス１２２から広がる空気が離れるにつれて、空気はオリフィス１２２から外側へ全方向に伝わるようになり、更には、図９Ｂに示す通り、管１２０の背後へも伝わるようになる。
【００４７】
しかし、背壁１３２と、内向きに向かい合う複数の側壁１３４とを有するディレクタ１３０は、図９Ｂ‐９Ｃに示す通り、空気バーストを、分配管１２０の前方向に集中するか又は集めるようになっている。このディレクタ１３０は、管１２０とディレィタ１３０が面している近接する平板スクリーンと、相互作用するのにより適した方向に、空気バーストを集める。これにより、ディレィタ１３０は、空気バーストによる空気／を、平板スクリーンの表面を洗浄するために最適な方向に、押し進める。
【００４８】
上述した好ましい実施例及びその他の実施例の説明は、出願人によって考えられた発明のコンセプトの範囲又は応用を限定又は限界付けることを意図するものではない。空気バーストを供給するものとして説明したが、本発明に従うシステム１００は、近接するスクリーンからゴミを取り除くために、マニホールド１１０及び管１２０のオリフィス１１２／１２２から、その他適宜の流体（例えば、水、空気など）のバーストを放出できる。システム１００は平板スクリーンとの使用に関して説明したが、そのスクリーンは厳密に平板である必要はなく、実際には、縦方向、横方向又はその両方のいずれにでも、湾曲していてよい。ここに含まれた発明のコンセプトを開示することに替えて、出願人は添付の特許請求の範囲によって付与される全ての特許権を希望する。従って、添付の特許請求の範囲は、クレームした範囲内及びそれとの均等物に及ぶ汎ゆる変形及び変更を含む。
【図１Ａ】
0005462916.tif 000002
【図１Ｂ】
0005462916.tif 000003
【図１Ｃ】
0005462916.tif 000004
【図２Ａ】
0005462916.tif 000005
【図２Ｂ】
0005462916.tif 000006
【図３Ａ】
0005462916.tif 000007
【図３Ｂ】
0005462916.tif 000008
【図３Ｃ】
0005462916.tif 000009
【図４Ａ】
0005462916.tif 000010
【図４Ｂ】
0005462916.tif 000011
【図４Ｃ】
0005462916.tif 000012
【図５Ａ】
0005462916.tif 000013
【図５Ｂ】
0005462916.tif 000014
【図６Ａ】
0005462916.tif 000015
【図６Ｂ】
0005462916.tif 000016
【図６Ｃ】
0005462916.tif 000017
【図６Ｄ】
0005462916.tif 000018
【図７】
0005462916.tif 000019
【図８Ａ】
0005462916.tif 000020
【図８Ｂ】
0005462916.tif 000021
【図８Ｃ】
0005462916.tif 000022
【図８Ｄ】
0005462916.tif 000023
【図９Ａ】
0005462916.tif 000024
【図９Ｂ】
0005462916.tif 000025
【図９Ｃ】
0005462916.tif 000026